(57)【要約】【課題】首が細い瓶に容易に入れることができ、該瓶から容易に取り出すことができる簡便なティーバッグを提供すること。【解決手段】簡便なティーバッグは、管状であり、柔軟であり、首が細い標準的な瓶に適合し、２つの端部と、管状の本体部分と、２つの閉鎖部分と、中空部とを有する。前記本体部分は両端部間に形成されている。各閉鎖部分は、前記端部に形成され、補強部を有する。前記中空部は、両端部間に形成され、茶の葉、又は茶を入れるための他の材料を収容する。管状であり、柔軟である前記ティーバッグは、瓶に容易に入れることができ、該瓶から容易に取り出すことができる。【選択図】図１
0003136428.tif 000002
【実用新案登録請求の範囲】
【請求項１】
柔軟であり、管状である簡便なティーバッグであって、外径寸法と、２つの端部と、該端部間に形成され、幅寸法を有する管状の本体部分と、それぞれが前記端部に形成された２つの閉鎖部分と、該閉鎖部分間に形成された中空部とを有し、各閉鎖部分は、前記本体部分の縦方向における長さ寸法と、前記本体部分の横方向における幅寸法であって前記本体部分の前記幅寸法と等しい幅寸法と、２つの縁部とを有する、ティーバッグ。
【請求項２】
各閉鎖部分に補強部が形成されている、請求項１に記載のティーバッグ。
【請求項３】
前記本体部分の前記幅寸法は2.5cmないし3.4cmであり、各閉鎖部分の前記長さ寸法は1cmである、請求項２に記載のティーバッグ。
【請求項４】
前記外径寸法は、前記ティーバッグが水に浸けられた後に1.6cmないし2.2cmまで長くなる、請求項２に記載のティーバッグ。
【請求項５】
前記補強部は、前記閉鎖部分を閉鎖された状態に維持する複数のひだからなる、請求項２に記載のティーバッグ。
【請求項６】
前記本体部分は紙からなる、請求項２に記載のティーバッグ。
【請求項７】
前記本体部分は布からなる、請求項２に記載のティーバッグ。
【請求項８】
前記本体部分は不織布からなる、請求項２に記載のティーバッグ。
【考案の詳細な説明】
【技術分野】
【０００１】
本考案は、首が細い瓶に用いる簡便なティーバッグに関する。
【背景技術】
【０００２】
茶を飲むことは何世紀にもわたり伝統的な中国文化の特徴である。研究により、茶ポリフェノールが細胞内の脂肪酸合成酵素を抑制し、細胞や脂質の増殖を抑えることがわかり、このことは、人々の減量に役立ち、癌の予防や治療に用いられる。このため、茶を飲むことは健康に良い。しかし、茶の葉に含まれているタンニン酸が放出され、湯で作った茶を苦くする。茶の葉を冷水に浸すことは、放出されるタンニン酸の量を減らし、茶の味を良くする。茶の葉は、茶を苦くするエピガロカテキン没食子酸塩（EGCG）及びカフェインを放出する。２４時間冷水に浸した茶の葉は、５分間湯に浸した茶の葉よりEGCG及びカフェインを放出する量が少ない。冷水に浸した茶の葉は、健康に良いタンニン酸、エピカテキン及びエピガロカテキンを放出する。
【０００３】
サンティーと呼ばれる、茶を作る従来の方法は、冷水の入った瓶に茶の葉を入れることを含む。サンティーは、冷水が用意しやすいこと、茶の苦味が少ないこと及び健康に良いことから、普及している。しかし、茶の中に茶の葉の小片が浮遊しやすい。このため、茶を作るためにティーバッグがしばしば用いられる。従来のティーバッグは、首が細い瓶に入れられる程度に小さい。しかし、前記ティーバッグが水を吸収したとき、前記ティーバッグは、膨張し、大きくなり過ぎて前記瓶から取り出すことができない。
【考案の開示】
【考案が解決しようとする課題】
【０００４】
本考案は、前記した問題点を改善する簡便なティーバッグを提供する。
【０００５】
本考案の目的は、首が細い瓶に容易に入れることができ、前記瓶から容易に取り出すことができる簡便なティーバッグを提供することである。
【課題を解決するための手段】
【０００６】
本考案に係る簡便なティーバッグは、管状であり、柔軟であり、首が細い標準的な瓶に適合し、２つの端部と、管状の本体部分と、２つの閉鎖部分と、中空部とを有する。
【０００７】
前記本体部分は両端部間に形成されている。各閉鎖部分は、前記端部に形成され、補強部を有する。前記中空部は、両端部間に形成され、茶の葉、又は茶を入れるための他の材料を収容する。管状であり、柔軟である前記ティーバッグは、瓶に容易に入れることができ、該瓶から容易に取り出すことができる。
【０００８】
前記目的を達成するため、３つの条件を満たさなければならない。第１の条件は、前記ティーバッグが、膨張した茶の葉を収容する前記中空部を有し、茶が効果的に作られることである。第２の条件は、膨張したティーバッグの外径寸法が前記瓶の首の内径寸法より短く、膨張したティーバッグが前記瓶から容易に取り出せることである。第３の条件は、茶を飲んでいるときに前記ティーバッグが前記瓶から抜け出さないようにするため、前記ティーバッグの前記閉鎖部分の幅寸法が前記瓶の首の内径寸法より長いことである。
【０００９】
本考案の他の目的、利点及び新規な特徴は、添付の図面に関する以下の詳細な説明からより明らかになる。
【考案を実施するための最良の形態】
【００１０】
図１、２及び４に示すように、簡便なティーバッグ１０は、柔軟であり、管状であり、紙、布又は不織布からなる。ティーバッグ１０は、内径寸法が2.0cmないし2.2cmである首２１を有する、首が細い標準的な瓶２０に適合し、外径寸法と、２つの端部１１と、管状の本体部分１２と、２つの閉鎖部分１３と、中空部とを有する。
【００１１】
ティーバッグ１０の前記外径寸法は、ティーバッグ１０が水に浸けられた後に1.6cmないし2.2cmまで長くなり、瓶２０の首２１の前記内径寸法より短い。
【００１２】
本体部分１２は、両端部１１間に形成され、やや扁平であり、飲物を作るための茶の葉、又はハーブのような他の混合材料を収容し、幅寸法を有する。前記幅寸法は、2.5cmないし3.4cmであり、瓶２０の首２１の前記内径寸法より長い。
【００１３】
各閉鎖部分１３は、端部１１に形成され、茶の葉、又はハーブのような他の混合材料を本体部分１２内に保持する。各閉鎖部分１３は、長さ寸法と、幅寸法と、２つの縁部とを有する。前記長さ寸法は、本体部分１２の縦方向に測定され、1cmである。前記幅寸法は、本体部分１２の横方向に測定され、本体部分１２の前記幅寸法と等しい。図３、５に示すように、各閉鎖部分１３に補強部１３１が形成されている。補強部１３１は、閉鎖部分１３を閉鎖された状態に維持し、瓶２０が逆さまになって該瓶から茶が注がれるときにティーバッグ１０を瓶２０の中に留める複数のひだからなる。図６に示すように、閉鎖部分１３の各縁部は、瓶２０からティーバッグ１０を取り出すために容易に曲げることができる。
【００１４】
ティーバッグ１０の前記中空部は、両閉鎖部分１３間に形成され、茶の葉、又はハーブのような他の混合材料を収容する。
【００１５】
ティーバッグ１０は、標準的な、首が細い瓶２０に入れやすく、該瓶から取り出しやすく、作った茶の中に茶の葉の小片が浮遊するのを防ぐことができる。
【図面の簡単な説明】
【００１６】
【図１】本考案に係るティーバッグの斜視図。
【図２】本考案に係るティーバッグの正面図。
【図３】本考案に係るティーバッグの部分側面図。
【図４】本考案に係るティーバッグ及び瓶の正面図。
【図５】逆さまの瓶の中にあるティーバッグの正面図。
【図６】瓶から取り出されているティーバッグの正面図。
【符号の説明】
【００１７】
１０    ティーバッグ
１１    端部
１２    本体部分
１３    閉鎖部分
１３１    補強部
【図１】
0003136428.tif 000003
【図２】
0003136428.tif 000004
【図３】
0003136428.tif 000005
【図４】
0003136428.tif 000006
【図５】
0003136428.tif 000007
【図６】
0003136428.tif 000008